(57)【要約】【課題】瞬間接着剤等の液体塗布容器において、塗布作業時のノズルからの液の噴出を防止する蓋部構造を提供する。【解決手段】この発明は瞬間接着剤等の液状の収容物を封入する容器本体３側の先端のノズル孔５ｅより突出するように挿入され、軸方向に弾力的に進退移動する開閉ロッド４ｃをノズル部５ｄ内に設け、該ノズル部５ｄにキャップ２を着脱可能に設けた容器に関する。そして上記キャップ２をノズル部５ｄ側へ挿入した際に上記開閉ロッド４ｃの突出端を弾力に抗して内部に押し込むとともに、ノズル部５ｄの先端側に接触することによって外部よりノズル孔５ｅを塞ぐ当接部２ｂを前記キャップ２内に設けている。また互いに嵌合し合うキャップ２と容器本体３側の嵌合部には、キャップ２を容器本体３に対して軸心回りに正逆回転させることによりキャップ２を容器本体３に対して軸心方向に進退させて開閉させるねじ部２ｆ，５ｆを設けている。【選択図】          図２
2004306999.tif 000002
【特許請求の範囲】
【請求項１】
液状の収容物を封入する容器本体（３）側の先端に、収容物を取り出すノズル孔（５ｅ）を備えたノズル部（５ｄ）を設け、先端がノズル部（５ｄ）の先端側に突出するように内部より上記ノズル孔（５ｅ）に挿入され、軸方向に弾力的に進退移動することによりノズル孔（５ｅ）を開閉する開閉ロッド（４ｃ）を上記ノズル部（５ｄ）内に設け、該ノズル部（５ｄ）にノズル部（５ｄ）を覆うキャップ（２）を着脱可能に設けた容器において、上記キャップ（２）をノズル部（５ｄ）側へ挿入した際に上記開閉ロッド（４ｃ）の突出端を弾力に抗して内部に押し込むとともに、ノズル部（５ｄ）の先端側に接触することによって外部よりノズル孔（５ｅ）を塞ぐ当接部（２ｂ）を前記キャップ（２）内に設けてなる液体塗布容器の蓋部構造。
【請求項２】
互いに嵌合し合うキャップ（２）と容器本体（３）側の嵌合部には、キャップ（２）を容器本体（３）に対して軸心回りに正逆回転させることによりキャップ（２）を容器本体（３）に対して軸心方向に進退させて開閉させるねじ部（２ｆ），（５ｆ）を設けてなる請求項１の液体塗布容器の蓋部構造。
【請求項３】
当接部（２ｂ）がノズル部（５ｄ）の端面に沿って当接するキャップ（２）内奥部の当接面である請求項１又は２の液体塗布容器の蓋部構造。
【請求項４】
キャップ（２）の外周に容器本体（３）に対してキャップ（２）を回動させるための把手部（２ａ）を設けた請求項１，２又は３の液体塗布容器の蓋部構造。
【請求項５】
開閉ロッド（４ｃ）の先端を円錐状に傾斜したニードル部（４ｄ）として形成した請求項１，２，３又は４の液体塗布容器の蓋部構造。
【請求項６】
開閉ロッド（４ｃ）の進退移動を弾力的に許容する手段が、容器本体（３）の先端側と開閉ロッド（４ｃ）の基端部側との間に介挿され、開閉ロッド（４ｃ）と一体成形されたプラスチック製のスプリング（４ｂ）である請求項１，２，３，４又は５の液体塗布容器の蓋部構造。
【発明の詳細な説明】
【０００１】
【発明の属する技術分野】
この発明は主として瞬間接着剤等のように粘性の乏しい液体を収容する液体塗布容器の蓋部構造に関する。
【０００２】
【従来の技術】
従来液状接着剤等を収容し、注出ノズル先端に突出したロッドやニードルを弾力的に内部に押し込むように目的箇所に押し付けることによって、ノズル先端を開口させて接着剤等を塗布する技術が特許文献１等によって公知である。
【０００３】
また上記のようなロッドを、ノズル内で先端側に向かって弾力的に押し付ける専用のスプリングは特許文献２等によって公知である。さらに上記のような機構を用いたペンシル型の容器にノズル部全体を覆うようにキャップを着脱可能に嵌合されるものも公知である。
【０００４】
【特許文献１】
実公昭４７−３４５９９号公報
【特許文献２】
実開昭５８−４３９７７号公報
【０００５】
【発明が解決しようとする課題】
しかし上記キャップ付のペンシル型塗布容器においては、例えばキャップを外してノズルを目的箇所に押し付け、瞬間接着剤を塗布する際に、高い外気温や揮発性接着剤の気化による内圧によって、接着剤が開蓋と同時に噴出し、目的箇所に塗布できなかったり、余分な場所に付着したりする欠点があった。
【０００６】
この発明はこれらの問題点を解決するために、キャップを外す時に予め容器内の圧力を外部に開放させておき、塗布時のノズル開口時に上記のような液体噴出が生じない蓋部構造を提供することを目的とするものである。
【０００７】
さらに、この発明の２番目の目的は、キャップと本体側の嵌合部をねじによって形成し、ノズル先端面とキャップ内の底面又は天井面を密着させてノズル孔を閉じた状態でキャップを締め付けて取り付け、容器本体に対してキャップを軸心回りに回動させて取り外すことにより、容器の内圧を液体の塗布前に開放しようとする点にある。
その他この発明の目的と作用は発明の詳細な説明の中で明らかにされる。
【０００８】
【課題を解決するための手段】
上記のような課題を解決するための本発明の蓋部構造は、第１に液状の収容物を封入する容器本体３側の先端に、収容物を取り出すノズル孔５ｅを備えたノズル部５ｄを設け、先端がノズル部５ｄの先端側に突出するように内部より上記ノズル孔５ｅに挿入され、軸方向に弾力的に進退移動することによりノズル孔５ｅを開閉する開閉ロッド４ｃを上記ノズル部５ｄ内に設け、該ノズル部５ｄにノズル部５ｄを覆うキャップ２を着脱可能に設けた容器において、上記キャップ２をノズル部５ｄ側へ挿入した際に上記開閉ロッド４ｃの突出端を弾力に抗して内部に押し込むとともに、ノズル部５ｄの先端側に接触することによって外部よりノズル孔５ｅを塞ぐ当接部２ｂを前記キャップ２内に設けてなることを特徴としている。
【０００９】
第２に、互いに嵌合し合うキャップ２と容器本体３側の嵌合部には、キャップ２を容器本体３に対して軸心回りに正逆回転させることによりキャップ２を容器本体３に対して軸心方向に進退させて開閉させるねじ部２ｆ，５ｆを設けてなることを特徴としている。
【００１０】
第３に、当接部２ｂがノズル部５ｄの端面に沿って当接するキャップ２内奥部の当接面であることを特徴としている。
【００１１】
第４に、キャップ２の外周に容器本体３に対してキャップ２を回動させるための把手部２ａを設けたことを特徴としている。
【００１２】
第５に、開閉ロッド４ｃの先端を円錐状に傾斜したニードル部４ｄとして形成したことを特徴としている。
【００１３】
第６に、開閉ロッド４ｃの進退移動を弾力的に許容する手段が、容器本体３の先端側と開閉ロッド４ｃの基端部側との間に介挿され、開閉ロッド４ｃと一体成形されたプラスチック製のスプリング４ｂであることを特徴としている。
【００１４】
【発明の実施の形態】
図１，図２はこの発明の一実施例をペンシル型の瞬間接着剤塗布容器について示している。全体が共に弾力性を備えたプラスチック製であり、容器１とキャップ２とで構成される。容器１は液状の接着剤を収容する筒状の容器本体３と、この容器本体３の先端側の開口端に挿脱自在に嵌合されるノズル開閉用のエレメント４と、先端中心に小孔からなるノズル孔５ｅを有する内部が中空の筒状のノズル部材５とで構成される。
【００１５】
容器本体３の先端側はノズル部材５の基端部のスリーブ５ａの内周と挿脱自在に嵌合するスリーブ３ａを形成し、それらの嵌合面にはデテント機構を構成するリング状の凹凸３ｂ，５ｂが形成されている。
【００１６】
ノズル開閉用のエレメント４は基端部に中空のスリーブ４ａを備え、その先端中心にはロッド４ｃが突設されて全体がプラスチック材で一体成形されている。そしてエレメント４のスリーブ４ａは、容器本体３の嵌合部３ａの開口端の内周に挿脱自在に定位置まで嵌合して固定される。
【００１７】
ノズル部材５の嵌合部５ａを容器本体３に嵌合した状態で、上記エレメント４はノズル部材５内に収容され、ロッド４ｃの先端においてテーパーを付して針状に形成されたニードル部４ｄは、その外周と適合してノズル孔５ｅに軸方向移動自在に密着して嵌合される。
【００１８】
ノズル部材５のスリーブ５ａの先端側には、段状に径が細くなるキャップの嵌合部５ｃと、嵌合部５ｃよりさらに径が細くなるノズル部５ｄとが順次一体的に形成されている。ノズル部５ｄの先端中心には、前述したようにニードル部４ｃのテーパー面と適合するテーパー孔からなるノズル孔５ｅが形成されている。またノズル部５ｄの先端面は軸心に対して直角な平面を構成し、ニードル部４ｃは最深部まで挿入された状態で、僅かにノズル部５ｄの端面より突出している。
【００１９】
上記のように容器本体３、開閉エレメント４、ノズル部材５を同一軸心上に組み付けた状態では、ニードル部４ｃはスプリング４ｂによって弾力的にノズル孔５ｅに押し付けられており、ノズル部５ｄの端面側からニードル部４ｃの突出端をスプリング４ｂに抗して内部に押し込むことによりノズル孔５ｅが開かれ、内部の接着剤等の液体が浸出する。
【００２０】
上記作用により、例えばノズル部５ｄの先端を接着剤塗布面に押し付けることにより接着剤は押し付けられた面に流れ出して塗布される。
【００２１】
上記ノズル部材５に対し、キャップ２は先端が密閉された筒状をなし、基端部側はノズル部材５側の嵌合部５ｃの外周に挿脱自在に嵌合され、それぞれの嵌合面には互いに嵌合し合うねじ部２ｆ，５ｆが形成されている。
【００２２】
上記嵌合部５ｃにキャップ２を嵌合し、容器本体３に対してキャップ２を軸心回りに回動させると、キャップ２はねじ部２ｆ，５ｆによって締まり方向に嵌合し、逆転させることによって取り外される。
【００２３】
上記キャップ２の先端周面は、平行な平坦面を形成するように切り欠かれて回転駆動用の把手部（つまみ部）２ａを形成しており、この把手部はローレット加工その他の形状であってもよい。さらにキャップ２の内面奥部には軸心方向に対して直角な平面からなる当接面２ｂが形成されている。
【００２４】
この当接面２ｂは、図２に示すようにキャップ２を容器本体３側にねじ込んで装着すると、ノズル部５ｄの先端に突出したニードル部４ｄを弾力的に内部に押し込んでノズル孔５ｅを一旦開放し、その基端部端面がノズル部材５のスリーブ５ａの先端面に当接する以前に、前記ノズル部５ｄの端面に押し付けられて再度ノズル孔５ｅを塞ぐ構造になっている。
【００２５】
このような作用を確保するために、嵌合部５ａとノズル部５ｄの端面間の長さＬ１に対し、キャップ基端面と当接面２ｂ間の長さＬ２は、Ｌ１≧Ｌ２の関係に形成してあることが望ましい。
【００２６】
上記作用により、容器本体３側に対してキャップ２が取り付けられた接着剤等の使用前の状態では、外気温や接着剤の気化等により容器本体３内の内圧が外部より高い場合があるが、キャップ２を取り外す過程で当接面２ｂがノズル部端面から離れた瞬間に、ノズル孔５ｅが開かれてその内圧は外部と等しい圧力になる。このことにより後の接着剤塗布に際してノズル孔５ｅを開いても、高い内圧によって接着剤が噴出する不具合が防止される。
【００２７】
キャップ２とノズル部材５の嵌合の気密性が高い場合は、キャップ２の周壁等に予め小径の気抜孔を設けておく等の何らかの気抜構造（図示しない）を形成してもよい。
【００２８】
上記実施例は瞬間接着剤用容器について説明したが、本発明は接着剤以外の例えばインクや液状薬剤等の塗布又は線引き用容器等にも応用できる。
【００２９】
【発明の効果】
以上のように構成される本発明の蓋構造によれば、ノズル部に突出したニードルやロッド状の芯材を押し込むことによって液を浸出させる塗布用・線引き用等の容器の使用時に、容器内の内圧によって液体が噴出することを簡単な蓋構造によって防止できる。特に瞬間接着剤のように塗布不良や塗布むらの許されない液体の塗布に有効である。
【００３０】
またキャップを回動させながらねじ部により緩やかに開口させることにより、高い内圧による多量の液体の噴出が防止され、仮にキャップを取り外す過程で一定量の液体が噴出してもキャップ内での噴出に留まるので、外部への付着や飛散等の問題が生じない等の利点がある。
【図面の簡単な説明】
【図１】本発明の蓋構造を示す分解斜視図である。
【図２】同じく蓋構造の要部拡大断面図である。
【符号の説明】
２    キャップ
２ａ  把手部（つまみ部）
２ｂ  当接部（当接面）
２ｆ，５ｆ  ねじ部
３    容器本体
４ｂ  スプリング
４ｃ  ロッド部
４ｄ  ニードル部
５ｄ  ノズル部
５ｅ  ノズル孔
【図１】
2004306999.tif 000003
【図２】
2004306999.tif 000004